(57)【要約】【課題】ロジックＩＣを必要とせずにＤＳＰを起動する、簡易な構成の携帯型端末の提供を図る。【解決手段】携帯型端末では、接点金具１０がダイアルの回動に伴って回動し、接点ブラシ１２Ａ〜１２Ｃが回路基板上をスライドする。接点ブラシ１２Ｂがスライドする円周上にはモード選択電極２２Ａ〜２２Ｆを配している。接点ブラシ１２Ａがスライドする円周上には接地電極２１を配している。モード選択電極２２Ａ〜２２Ｆは、接地電極２１の外側に設けている。接点ブラシ１２Ｂ，１２Ｃがスライドする円周上の、端末の電源オフ時に接点ブラシ１２Ｃが配置される位置に隣接させて、パルス電極２３Ａ，２３Ｂを配している。パルス電極２３Ａ，２３Ｂは、直流電圧源Ｖとパルス信号の出力端子ＤＳＰとに接続されている。【選択図】  図３
2008103186.tif 000002
【特許請求の範囲】
【請求項１】
筐体に固定した回路基板と、前記筐体に回動可能に取り付けた操作ダイアルと、を備え、
前記回路基板は、前記操作ダイアルの底面に対面する位置に、互いに半径の異なる複数の円周上に形成された複数の電極を配列したものであり、
前記操作ダイアルは、前記複数の電極のいずれかに接する接点部材を設けたものである携帯型端末において、
前記複数の電極のいずれかは、前記接点部材を接地する接地電極であり、
前記複数の電極の他のいずれかは、当該端末の動作モードを選択するモード選択信号を出力するモード選択電極であり、
前記複数の電極のうち、当該端末の電源オフ時に前記接点部材が接する位置に隣接させた電極は、直流電圧源に接続されるとともに、パルス信号の出力端子に接続されたパルス電極であり、
前記接点部材は、それぞれ前記複数の電極のいずれかに接する複数の接点端子を備え、前記複数の接点端子の少なくとも一つが前記接地電極に接するように、各接点端子を配したものであり、
前記複数の電極のうち内側の円周上に形成する電極のサイズを、外側の円周上に形成する電極のサイズよりも大きくした携帯型端末。
【請求項２】
筐体に固定した回路基板と、前記筐体に回動可能に取り付けた操作ダイアルと、を備え、
前記回路基板は、前記操作ダイアルの底面に対面する位置に、複数の電極を円状に配列したものであり、
前記操作ダイアルは、前記複数の電極のいずれかに接する接点部材を設けたものである携帯型端末において、
前記接点部材は接地電位に導通したものであり、
前記複数の電極のいずれかは、直流電圧源に接続されるとともに、パルス信号の出力端子に接続されたパルス電極である携帯型端末。
【請求項３】
前記パルス電極を、当該端末の電源オフ時に前記接点部材が接する位置に隣接させて配した請求項２に記載の携帯型端末。
【請求項４】
前記複数の電極のいずれかは、前記接点部材を接地する接地電極であり、
前記接点部材は、それぞれ前記複数の電極のいずれかに接する複数の接点端子を備え、
前記複数の接点端子の少なくとも一つが前記接地電極に接するように、各接点端子を配したものである請求項２または３に記載の携帯型端末。
【請求項５】
前記複数の電極のいずれかは、当該端末の動作モードを選択するモード選択信号を出力するモード選択電極である請求項２〜４のいずれかに記載の携帯型端末。
【請求項６】
前記複数の電極は、互いに半径の異なる複数の円周上に形成されたものである請求項２〜５のいずれかに記載の携帯型端末。
【請求項７】
内側の円周上に形成する電極のサイズを、外側の円周上に形成する電極のサイズよりも大きくした請求項６に記載の携帯型端末。
【発明の詳細な説明】
【技術分野】
【０００１】
本発明は、デジタル信号処理を行う携帯型のラジオや音楽再生機、ビデオカメラなどの携帯型端末に関するものである。
【背景技術】
【０００２】
近年、デジタル信号処理を行う携帯型のラジオや音楽再生機、ビデオカメラなどの携帯型端末が普及している。このような端末では、電源をオンする際にＤＳＰ（Digital Signal Processor）を起動してデジタル信号処理を開始する。ＤＳＰの起動にはＤＳＰの起動ポートにパルス信号を入力する必要がある。
【０００３】
また、モードダイアルを備え、モードダイアルの回動により端末の動作モードを設定する携帯型端末が知られている（特許文献１参照。）。このような携帯型端末において、動作モードのひとつとして電源オフモードを設定しておき、モードダイアルの回動によりＤＳＰの起動ポートにパルス信号を入力することで、端末の電源をオンすることがある。
【０００４】
このような携帯型端末の従来構成について、図１に基づいて説明する。この携帯型端末では、モードダイアルに固定された接点金具１１０がモードダイアルに伴い回動する。そして、接点金具１１０の接点ブラシ１１２Ａと接点ブラシ１１２Ｂとが、回路基板に印刷されたスライドパターン１２０上をスライドする。
【０００５】
スライドパターン１２０のうち、モード選択電極１２２Ａは電源オフモードに対応するものであり、このモード選択電極１２２Ａには、遅延回路１３０が接続されている。
【０００６】
接点金具１１０がモード選択電極１２２Ａに接触している場合、モード選択電極１２２Ａは接点金具１１０を介して接地電極１２１に接続され、ＡＮＤ回路１３１の第１入力端子には接地電位（Ｌｏレベル）が入力される。また、インバータ１３２の入力端子にもＬｏレベルが入力される。ＡＮＤ回路１３１の第２入力端子には、インバータ１３２でＬｏレベルが反転したＨｉレベルが入力される。これによりＤＳＰの起動ポートにはＬｏレベルが入力される。
【０００７】
接点端子１１０がスライドしてモード選択電極１２２Ａから離れた場合、ＡＮＤ回路１３１の第１入力端子にはＨｉレベルが入力される。このときインバータ１３２の入力端子にもＨｉレベルが入力されるが、インバータ１３２は出力信号の反転に遅延を生じさせる。したがって、ＡＮＤ回路１３１の第２入力端子には、Ｈｉレベルが入力される。これによりＤＳＰの起動ポートにはＨｉレベルが入力される。
【０００８】
その後、インバータ１３２の遅延が解消されると、ＤＳＰの起動ポートにはＬｏレベルが入力される。
【０００９】
この構成では、接点端子１１０がスライドして接点端子１１０がモード選択電極１２２Ａから離れ、インバータ１３２で遅延が生じている期間にＨｉレベルであり、それ以外の期間にはＬｏレベルであるパルス信号をＤＳＰの起動ポートに出力する。
【特許文献１】特開２００５−５０６３７号公報
【発明の開示】
【発明が解決しようとする課題】
【００１０】
従来の携帯型端末では、ＡＮＤ回路およびインバータを用いてＤＳＰの起動ポートに対するパルス信号を生成していた。一般にＡＮＤ回路およびインバータはロジックＩＣにより構成されるがロジックＩＣは高価な素子であるので、この構成はコストがかかるものであった。
【００１１】
本発明はこのような従来の課題を解決しようとするものであり、パルス信号を生成するためにロジックＩＣを必要としない携帯型端末を提供することを目的とする。
【課題を解決するための手段】
【００１２】
（１）本発明は、筐体に固定した回路基板と、前記筐体に回動可能に取り付けた操作ダイアルと、を備え、前記回路基板は、前記操作ダイアルの底面に対面する位置に、複数の電極を円状に配列したものであり、前記操作ダイアルは、前記複数の電極のいずれかに接する接点部材を設けたものである携帯型端末において、前記接点部材は接地電位に導通したものであり、前記複数の電極のいずれかは、直流電圧源に接続されるとともに、パルス信号の出力端子に接続されたパルス電極である。
【００１３】
この構成によれば、パルス電極はパルス信号の出力端子と直流電圧源とのそれぞれに直列に接続されるので、パルス電極が接地されていなければ、パルス信号の出力端子には直流電圧源が直接接続される。したがって、この時パルス信号の出力端子はＨｉレベルとなる。一方、パルス電極が接地されていれば、パルス信号の出力端子は接地され、パルス信号の出力端子はＬｏレベルとなる。
【００１４】
パルス電極は接点端子がスライドする円周上に配置されるので、接点金具の回動に伴い、パルス信号の出力端子はＨｉレベル、Ｌｏレベル、Ｈｉレベルがとなり、パルス信号が出力される。
【００１５】
（２）本発明は、前記パルス電極を、当該端末の電源オフ時に前記接点部材が接する位置に隣接させて配したものである。
【００１６】
この構成によれば、電源オフの状態からダイアルが回動する際に、パルス信号を出力することができる。
【００１７】
（３）本発明の前記接点部材は、それぞれ前記複数の電極のいずれかに接する複数の接点端子を備え、前記複数の電極のいずれかは、前記接点部材を接地する接地電極であり、前記複数の接点端子は、少なくとも一方が前記接地電極に接するように、前記複数の接点端子を配したものである。
【００１８】
この構成により、接点部材を常に接地電位にできる。
【００１９】
（４）本発明の前記複数の電極のいずれかは、当該端末の動作モードを選択するモード選択信号を出力するモード選択電極である。
【００２０】
この構成により、携帯型端末の動作モードを選択することができ、動作モードのひとつとして、電源オフモードを設けることができる。
【００２１】
（５）本発明の前記複数の電極は、互いに半径の異なる複数の円周上に形成されたものである。
【００２２】
この構成によれば、回路基板の電極形成面積を低減できる。
【００２３】
（６）本発明は、内側の円周上に形成する電極のサイズを、外側の円周上に形成する電極のサイズよりも大きくしたものである。
【００２４】
この構成によれば、外側の円周上に形成する電極に比べて電極サイズが小さくなりがちな内側の円周上に形成する電極の電極サイズを確保でき、回路基板の電極形成面積を低減した場合であっても、内側の円周上に形成する電極と、接点端子との接続を確実なものにできる。
【発明の効果】
【００２５】
この発明によれば、ロジックＩＣなどの高価な素子を設けずに簡易な構成でＤＳＰを起動する携帯型端末を構成でき、また、モード選択電極や、接地電極、パルス電極、各々の接点部材との接続を確実なものにできる。
【発明を実施するための最良の形態】
【００２６】
以下、本発明の携帯型端末の実施形態として、放送電波を受信して映像表示を行う携帯型の放送受像表示装置を例に説明する。
【００２７】
まず、放送受像表示装置の概略構成を説明する。図２は、携帯型端末である放送受像表示装置５１の外観図である。同図（Ａ）は背面図、同図（Ｂ）は上面図、同図（Ｃ）は正面図である。
【００２８】
本実施形態の放送受像表示装置５１は、筐体５２の内部に受像回路や映像処理回路、モード選択回路、パルス発生回路などの電子基板を内装する。また、放送受像表示装置５１は、筐体５２の正面に設けた表示部５３に映像処理回路の出力する映像を表示する。また、放送受像表示装置５１は、筐体５２の上面に回動可能に設けたモードダイアル７０の操作により、回動角度に従った動作モードを設定する。また、上面図に示すモードダイアル７０の内側に設けたボタン５５はモードダイアル７０と同軸に配置されていて、モード以外の各種操作（映像等の再生・停止操作など）に用いる。
【００２９】
筐体５２は、プラスチック成形した背面カバー部材と正面カバー部材とを接合した、正面−背面間が薄肉の略方形部材である。筐体５２の角にあたる部分は湾曲させ滑らかにしている。この筐体５２の背面右側には、使用者が筐体５２全体をグリップし易いよう、背面方向に突出する把持部５４を設けている。筐体５２の把持部５４上面側にはモードダイアル７０を配している。このようにモードダイアル７０を筐体５２の把持部５４側に設けているため、使用者は筐体５２を片手で確実に把持しながら、その手でモードダイアル７０の操作をできる。なお、筐体５２の、モードダイアル７０と表示部５３とに覆われた位置それぞれには、開口（不図示）を設け、開口を介して筐体５２にモードダイアル７０と表示部５３とをそれぞれ取り付けている。
【００３０】
モードダイアル７０は略円筒円盤形状であり、外側面にグリップ溝を備えている。また、モードダイアル７０の内側には、ボタン５５を収容する嵌合孔を備えている。このモードダイアル７０は筐体５２内部に設けられるクリック機構により、複数の所定回動角度でクリック感が得られるようにしている（以下、この所定回動角度のことをクリック角度と称する。）。各クリック角度には各種動作モードを対応させている。動作モードは、例えば電源オフ、受信した放送を表示部に表示する放送表示モード、内蔵するメモリに記憶している映像ファイルの映像を表示部に表示する録画再生モード、内蔵するメモリに記憶している音楽ファイルの音楽を再生するとともに音声ファイルの文字情報を表示部に表示する音楽再生モードなどである。このため、モードダイアル７０の操作のみで容易に放送受像表示装置５１のモード切り替えができ、高い操作性を使用者に提供できる。なお、切り替えの対象となるモードは上記以外のどのようなモードであっても良い。
【００３１】
次に、筐体５２の内部に配置するパルス発生回路について説明する。
【００３２】
図３に示すパルス発生回路１は、パルス信号を生成してＤＳＰにパルス信号を出力する携帯型端末における主要部分である。このパルス発生回路１は、モードダイアル７０（不図示）の底部に配置している。パルス発生回路１は、モードダイアル７０に固定した接点金具１０と、回路基板に印刷されたスライドパターン２０と、電源回路から直流電流の供給を受ける直流電流源Ｖと、抵抗Ｒ１と、パルス信号の出力端子ＤＳＰから構成される。
【００３３】
接点金具１０は円弧状の金属片であり、点Ｐを中心に回動可能に保持され、モードダイアルに連動する。この接点金具１０は、基体部１１でモードダイアルに固定されている。また、接点金具１０は、基体部１１の一端から回路基板に向けて屈曲する接点ブラシ１２Ａ，１２Ｂにより回路基板に弾性接触する。また、基体部１１の逆端から回路基板に向けて屈曲する接点ブラシ１２Ｃによっても回路基板に弾性接触する。接点金具１０の回動に伴い接点ブラシ１２Ａと接点ブラシ１２Ｂと接点ブラシ１２Ｃとは、回路基板上に接触しながらスライドする。接点ブラシ１２Ａ，１２Ｂ，１２Ｃそれぞれが接触する回路基板上にはスライドパターン２０を設けていて、スライドパターン２０を構成する複数の電極が接点金具１０により導通することになる。
【００３４】
スライドパターン２０は、回路基板の点Ｐを中心とする円周上に、銅薄のパターンを印刷した複数の印刷電極からなる。回路基板の接点ブラシ１２Ｂが接触しながらスライドする位置には、円弧形のモード選択電極２２Ａ〜２２Ｆ、パルス電極２３Ａ、無接続電極２４Ａ、パルス電極２３Ｂ、無接続電極２４Ｂを順に円環状に配列している。モード選択電極２２Ａ〜２２Ｆはそれぞれ約３０°に亘って円弧状に形成したものであり、パルス電極２３Ａ、無接続電極２４Ａ、パルス電極２３Ｂはそれぞれ約１０°に亘って円弧状に形成したものであり、無接続電極２４Ｂは約１２０°に亘って円弧状に形成したものである。
【００３５】
また、モード選択電極２２Ａ〜２２Ｆの内周側であって、且つ、回路基板の接点ブラシ１２Ａが接触しながらスライドする位置には、接地電極２１を約２１０°に亘って円弧形に形成している。なお、接地電極は、モード選択電極２２Ａ〜２２Ｆの外周側に設けるようにしてもよい。
【００３６】
パルス電極２３Ａ，２３Ｂは、無接続電極２４Ａの反対側（１８０°逆の位置）に、無接続電極２４Ａを挟んで配置している。パルス電極２３Ａ，２３Ｂは互いに導通していて、抵抗Ｒ１を介して電圧Ｖ（一般的には５Ｖ）の直流電圧源に接続している。また、この接続点には、パルス信号を出力するための出力端子ＤＳＰも接続している。
【００３７】
モード選択電極２２Ｂ〜２２Ｅは、それぞれ対応する制御信号出力回路（不図示）に接続している。モード選択電極２２Ａ〜２２Ｅと接点ブラシ１２Ｂとの接触を契機に、各制御信号出力回路は制御信号を生成し、ＤＳＰの制御ポートに出力する。ＤＳＰは入力される制御信号に従い動作モードを切り替える。
【００３８】
また、このような構成のパルス発生回路１では、モードダイアルのクリック機構により、モードダイアルおよび接点金具１０が所定のクリック角度で固定される。具体的には接点ブラシ１２Ｂがモード選択電極２２Ａ〜２２Ｆそれぞれの中央に接触する角度のいずれかで固定される。
【００３９】
図示する接点ブラシ１２Ｂがモード選択電極２２Ａの中央に接触している状態では、接点ブラシ１２Ａは接地電極２１に接触する。また、接点ブラシ１２Ｃは無接続電極２４Ａに接触する。この時、パルス電極２３Ａ，２３Ｂには、接点ブラシ１２Ｃが接触していないので、パルス電極２３Ａ，２３Ｂは、電圧Ｖｏ（一般的には５Ｖ）の直流電圧源から抵抗Ｒ１を介して与えられる電位（Ｈｉレベル）となる。したがって、出力端子ＤＳＰからはＨｉレベルが出力される。
【００４０】
モードダイアルに使用者から反時計回りの回転トルクが与えられ、図示する状態から接点金具１０が回動すると、接点ブラシ１２Ｃはパルス電極２３Ｂ上をスライドする。この時、接点ブラシ１２Ａは接地電極２１上をスライドし、接点ブラシ１２Ａはモード選択電極２２Ａ上をスライドする。
【００４１】
パルス電極２３Ｂに接点ブラシ１２Ｃが接触している間、パルス電極２３Ｂは接点ブラシ１２Ｃ−基体部１１−接点ブラシ１２Ｂを介して接地電極２１に接続され、接地電位（Ｌｏレベル）となる。したがって、出力端子ＤＳＰからはＬｏレベルが出力される。
【００４２】
接点ブラシ１２Ｃがパルス電極２３Ｂを通過してしまうと、パルス電極２３Ｂは電圧Ｖｏ（一般的には５Ｖ）の直流電圧源から抵抗Ｒ１を介して与えられる電位（Ｈｉレベル）となる。したがって、出力端子ＤＳＰからはＨｉレベルが出力される。
【００４３】
このようにして、このパルス発生回路１からは、パルス電極２３Ｂと接点ブラシ１２Ｃとが接触している間にＬｏレベル、それ以外の状態でＨｉレベルのパルス信号が出力される。本実施形態のパルス発生回路１では、高価なロジックＩＣを必要としないで、パルス信号を生成できる。
【００４４】
また、パルス電極２３Ａ，２３Ｂと無接続電極２４Ａ，２４Ｂとをモード選択電極２２Ａ〜２２Ｆと同じ円周上に配置しているので、接点金具１０の回動半径内にスライドパターン２０の略全体を収めることができ、電極形成面積を低減できる。また、接点金具１０が３つの接点ブラシを備え、また、モード選択電極２２Ａ〜２２Ｆとパルス電極２３Ａ，２３Ｂと無接続電極２４Ａ，２４Ｂとを接地電極の外周側に配置しているので、モード選択電極２２Ａ〜２２Ｆとパルス電極２３Ａ，２３Ｂと無接続電極２４Ａ，２４Ｂとの形成精度があまり高くなくても、各電極と各接点ブラシとの接続を確実なものにできる。
【００４５】
なお、本実施形態では、携帯型端末として放送受像再生装置を用いる例を示したが、本発明はモードダイアルを用いるものであれば多様な装置に適用でき、放送受像再生装置に限られない。例えば、携帯型音楽再生装置や、携帯型ビデオカメラ、携帯型ラジオ、カメラ装置、携帯電話など多様な装置に適用可能である。
【００４６】
次に、本発明の他の構成例について説明する。
【００４７】
図４は、パルス発生回路の第１構成例である。このパルス発生回路は、スライドパターン２０のモード選択電極２２Ａ、無接続電極２４Ａ，２４Ｂを備えていない点で、図３のパルス発生回路と異なる。この第１構成例のようなパルス発生回路であっても高価なロジックＩＣを必要としないで、パルス信号を生成できる。このように無接続電極は必ずしも設けなくてもよい。
【００４８】
図５は、パルス発生回路の第２構成例である。このパルス発生回路は、スライドパターン２０の無接続電極２４Ｂを備えていない点、および、パルス電極２３Ａ，２３Ｂ、無接続電極２４Ａを、図３のパルス発生回路よりも外周側に設けた点で異なる。この第２構成例のようなパルス発生回路であっても高価なロジックＩＣを必要としないで、パルス信号を生成できる。このようにパルス電極はどのような円周上に設けてもよい。例えば接地電極よりも内周側に設けてもよい。
【００４９】
図６は、パルス発生回路の第３構成例である。このパルス発生回路は、スライドパターン２０のパルス電極２３Ａ，２３Ｂ、無接続電極２４Ａ，２４Ｂを、図３のパルス発生回路よりも内周側に設けた点で異なる。この第３構成例のようなパルス発生回路であっても高価なロジックＩＣを必要としないで、パルス信号を生成できる。
【００５０】
図７は、パルス発生回路の第４構成例である。このパルス発生回路は、スライドパターン２０のモード選択電極２２Ａと無接続電極２４Ｂとを設けず、その位置にパルス電極２３Ａ，２３Ｂ、無接続電極２４Ａを設けた点、および，接点金具１０の接点ブラシ１２Ｃを設けない点で、図３のパルス発生回路と異なる。この第４構成例のようなパルス発生回路であっても高価なロジックＩＣを必要としないで、パルス信号を生成できる。
【００５１】
以上のように本発明は、多様なスライドパターンの形状に対しても適用できる。上記した以外のスライドパターンの形状であっても、パルス電極を設けることで、容易にモードダイアルを用いてパルス信号を生成することができる。
【図面の簡単な説明】
【００５２】
【図１】従来例に係る携帯型端末の外観図である。
【図２】実施形態に係る携帯型の放送受像再生装置の外観図である。
【図３】実施形態に係る携帯型の放送受像再生装置のパルス発生回路の概観図である。
【図４】他の実施形態に係るパルス発生回路の第１構成例である。
【図５】他の実施形態に係るパルス発生回路の第２構成例である。
【図６】他の実施形態に係るパルス発生回路の第３構成例である。
【図７】他の実施形態に係るパルス発生回路の第４構成例である。
【符号の説明】
【００５３】
１，１０１−パルス発生回路
１０，１１０−接点金具
１１，１１１−基体部
１２，１１２−接点ブラシ
２０，１２０−スライドパターン
２１，１２１−接地電極
２２，１２２−モード選択電極
２３−パルス電極
２４−無接続電極
５１−放送受像表示装置
５２−筐体
５３−表示部
５４−把持部
５５−ボタン
７０−モードダイアル
【図１】
2008103186.tif 000003
【図２】
2008103186.tif 000004
【図３】
2008103186.tif 000005
【図４】
2008103186.tif 000006
【図５】
2008103186.tif 000007
【図６】
2008103186.tif 000008
【図７】
2008103186.tif 000009